(57)【要約】      （修正有）【課題】特に規格の異なる２つのインターフェースのコネクタプラグと連結することができると共に、連結されたコネクタプラグの規格を判別できる２型対応ソケットコネクタを提供する。【解決手段】挿設部２０と、該挿設部２０の近傍に位置する長尺状のフールプルーフ２２とが設けられる中空の収容室１１を有するシェル部材１０を備え、該収容室１１と挿設部２０は、ＨＤＭＩまたはＤｉｓｐｌａｙＰｏｒｔ規格のプラグコネクタを嵌合させることができ、該挿設部２０の一端の表面にそれぞれ、所定の間隔をおいて配置される上部端子、下部端子３２と、検出端子３３とを含む端子セット３０が取り付けられることを特徴とする。【選択図】図１
0003150774.tif 000002
【実用新案登録請求の範囲】
【請求項１】
挿設部（２０）と、該挿設部（２０）の近傍に位置する長尺状のフールプルーフ（２２）とが設けられる中空の収容室（１１）を有するシェル部材（１０）を備え、該収容室（１１）と挿設部（２０）は、HDMIまたはDisplayPort規格のプラグコネクタ（４０）（５０）を嵌合させることができ、該挿設部（２０）の一端の表面にそれぞれ、所定の間隔をおいて配置される上部端子（３１）、下部端子（３２）と、検出端子（３３）とを含む端子セット（３０）が取り付けられることを特徴とする２型対応ソケットコネクタ。
【請求項２】
前記収容室（１１）には、２つのフールプルーフ（２２）が設けられ、該各フールプルーフ（２２）は、所定の間隔をおいてそれぞれ前記挿設部（２０）の両側近傍に位置するように設置されることを特徴とする請求項１に記載の２型対応ソケットコネクタ。
【請求項３】
前記シェル部材（１０）は、少なくとも一端に前記収容室（１１）に連通する開口が形成される中空体であり、該開口の縁には、その自由端が該開口の内部まで延出する位置決めバネ部が形成されることを特徴とする請求項１または２に記載の２型対応ソケットコネクタ。
【請求項４】
前記検出端子（３３）は、前記下部端子（３２）と共に、前記挿設部（２０）の下方に設置され且つ前記フールプルーフ（２２）の一つの近傍に位置することを特徴とする請求項１乃至３に記載の２型対応ソケットコネクタ。
【請求項５】
前記フールプルーフ（２２）における、前記挿設部（２０）の近傍に位置する側に弧状の当接面（２２１）が形成されていることを特徴とする請求項４に記載の２型対応ソケットコネクタ。
【考案の詳細な説明】
【技術分野】
【０００１】
本考案は、特に異なる２つの規格のプラグと連結することができ、デジタルビデオ信号の伝送を行うための２型対応ソケットコネクタに関するものである。
【背景技術】
【０００２】
高品質の音声や映像信号などを伝送するため、現在では、例えば、HDMI（High−Definition  Multimedia  Interface）（登録商標）規格や、DisplayPort規格など、各種の信号伝送用インターフェースが開発され、モニター、テレビ、プロジェクターなどの消費性電子製品や外部出力が必要な機器に使用されている。前記従来のHDMI規格及びDisplayPort規格のインターフェースは、ケーブルの端部と出力機器にそれぞれ互いに対応するプラグコネクタとソケットコネクタが設置されるものであるので、該プラグコネクタとソケットコネクタの連結により信号の伝送が可能である。
【考案の開示】
【考案が解決しようとする課題】
【０００３】
しかしながら、従来のHDMI規格のインターフェースとDisplayPort規格のインターフェースとは、互いに連結するプラグコネクタとソケットコネクタの形状が異なるのみならず、端子数と端子の設置位置も異なる。即ち、HDMI規格では、両側部にそれぞれ１０本と９本の端子が所定間隔をおいて設置されるのに対して、DisplayPort規格では、上下部にそれぞれ１０本の端子が所定間隔をおいて設置される。これにより、規格の異なるプラグコネクタとソケットコネクタは連結できないことから、消費者が電子製品を購入する時は、わざわざインターフェースの規格を確認しなければならないと共に、製造側も２種類のソケットコネクタを生産しなければならないので、製造コストや、保管のコストなどが増大してしまうといった問題があった。
【０００４】
そこで、案出されたのが本考案であって、規格の異なる２つのインターフェースにおけるコネクタプラグの何れとも連結することができると共に、連結されたコネクタプラグの規格を判別できる２型対応ソケットコネクタを提供することを目的としている。
【課題を解決するための手段】
【０００５】
本願の請求項１の考案は、挿設部（２０）と、該挿設部（２０）の近傍に位置する長尺状のフールプルーフ（２２）とが設けられる中空の収容室（１１）を有するシェル部材（１０）を備え、該収容室（１１）と挿設部（２０）は、HDMIまたはDisplayPort規格のプラグコネクタ（４０）（５０）を嵌合させることができ、該挿設部（２０）の一端の表面にそれぞれ、所定の間隔をおいて配置される上部端子（３１）、下部端子（３２）と、検出端子（３３）とを含む端子セット（３０）が取り付けられることを特徴とする２型対応ソケットコネクタ、を提供する。
【０００６】
本願の請求項２の考案は、前記収容室（１１）には、２つのフールプルーフ（２２）が設けられ、該各フールプルーフ（２２）は、所定の間隔をおいてそれぞれ前記挿設部（２０）の両側近傍に位置するように設置されることを特徴とする請求項１に記載の２型対応ソケットコネクタ、を提供する。
【０００７】
本願の請求項３の考案は、前記シェル部材（１０）は、少なくとも一端に前記収容室（１１）に連通する開口が形成される中空体であり、該開口の縁には、その自由端が該開口の内部まで延出する位置決めバネ部が形成されることを特徴とする請求項１または２に記載の２型対応ソケットコネクタ、を提供する。
【０００８】
本願の請求項４の考案は、前記検出端子（３３）は、前記下部端子（３２）と共に、前記挿設部（２０）の下方に設置され且つ前記フールプルーフ（２２）の一つの近傍に位置することを特徴とする請求項１乃至３に記載の２型対応ソケットコネクタ、を提供する。
【０００９】
本願の請求項５の考案は、前記フールプルーフ（２２）における、前記挿設部（２０）の近傍に位置する側に弧状の当接面（２２１）が形成されていることを特徴とする請求項４に記載の２型対応ソケットコネクタ、を提供する。
【考案の効果】
【００１０】
本考案は上記の課題を解決するものであり、、本体から少なくとも１つのフールプルーフが軸方向に延出するように設けられることから、HDMI規格のプラグコネクタと連結する際には、前記位置決めバネ部及び前記接続部における凹部に位置されるフールプルーフにより揺れることなくプラグコネクタを被嵌することができると共に、DisplayPort規格のプラグコネクタと連結する際には、該フールプルーフはプラグコネクタ内の収容溝に位置されるので、２種類の規格のプラグコネクタを正確な位置に位置決めすることができる。また、２つのフールプルーフが設けられる場合には、本考案の連結時の安定性をより高めることができる。
【考案を実施するための最良の形態】
【００１１】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１２】
図１は本考案に係る２型対応ソケットコネクタの第１実施例を示す斜視図であり、図２は本考案に係る２型対応ソケットコネクタの第１実施例を示す正面図であり、図３は本考案に係る２型対応ソケットコネクタの第１実施例における下部端子を示す断面図であり、図４は本考案に係る２型対応ソケットコネクタの第１実施例における上部端子を示す断面図であり、図５は本考案に係る２型対応ソケットコネクタの第１実施例における検出端子を示す断面図であり、図６は本考案に係る２型対応ソケットコネクタの第１実施例においてプラグコネクタとの連結を示す図であり、図７は本考案に係る２型対応ソケットコネクタの第１実施例においてDisplayPort規格のプラグコネクタと連結した状態を示す図であり、図８は本考案に係る２型対応ソケットコネクタの第１実施例においてDisplayPort規格のプラグコネクタと連結した状態を示す断面図であり、図９は本考案に係る２型対応ソケットコネクタの第１実施例においてHDMI規格のプラグコネクタと連結した状態を示す図であり、図１０は本考案に係る２型対応ソケットコネクタの第１実施例においてHDMI規格のプラグコネクタと連結した状態を示す断面図であり、図１１は本考案に係る２型対応ソケットコネクタの第２実施例を示す斜視図であり、図１２は本考案に係る２型対応ソケットコネクタの第２実施例を示す正面図であり、図１３は本考案に係る２型対応ソケットコネクタの第２実施例においてDisplayPort規格のプラグコネクタと連結した状態を示す断面図であり、図１４は本考案に係る２型対応ソケットコネクタの第２実施例においてHDMI規格のプラグコネクタと連結した状態を示す断面図である。
【００１３】
図１及び図６に示すように、本考案に係る２型対応ソケットコネクタは中空体であり、収容室（１１）を有するシェル部材（１０）を備えるものである。前記収容室（１１）は、少なくとも１つの開口を有するものであり、該開口の断面がDisplayPort規格のプラグコネクタ（５０）の接続部（５１）の断面と対応し、且つHDMI規格のプラグコネクタ（４０）の接続部（４１）の断面より大きく、前記接続部(４１)(５１)は、壁面に端子が取り付けられる挿嵌穴（４２）（５２）が形成されるものである。尚、その具体的な構成は従来の技術であるため、詳細については省略する。また、該接続部(４１)の外部両側に軸方向の凹部（４３）が形成され、該接続部（５１）の壁面には収容溝（５３）が凹設されている。
【００１４】
前記シェル部材（１０）には、弾性を有する位置決めバネ部（１３）と複数のバネ部（１２）とを有し、該位置決めバネ部（１３）と複数のバネ部（１２）は夫々、該シェル部材（１０）を切削してなり、該位置決めバネ部（１３）は、開口の縁に位置し、軸方向に沿って延出する片状のものである。また、前記位置決めバネ部（１３）には、一部が湾曲加工によりシェル部材（１０）の内部まで延出する突出部（１３１）が設けられ、前記バネ部（１２）は、シェル部材（１０）の上部壁及び下部壁に位置していると共に、該シェル部材（１０）の両端から下方に向かって、設置箇所に固定するための脚部（１４）が延設されている。
【００１５】
図２及び図３に示すように、シェル部材（１０）は、開口側に挿設部（２０）が設けられるものであり、該挿設部（２０）は、一端が挿嵌穴(４１)(５１)に挿入可能な長尺片状を呈すると共に、他端にシェル部材（１０）に連結する本体（２１）が設けられ、該挿設部（２０）における本体（２１）から少なくとも１つのフールプルーフ（２２）が軸方向に延設されている。尚、実施例においては、１つの棒状を呈するフールプルーフ（２２）を有し、該フールプルーフ（２２）における、前記挿設部（２０）の近傍に位置する側に弧状の当接面（２２１）に形成される。
【００１６】
図３、図４及び図５に示すように、挿設部（２０）の上部及び下部の表面にそれぞれ所定間隔をおいて複数の端子を含む端子セット（３０）が設けられ、それらの端子の他端がシェル部材（１０）の外部へ延出し、外部の装置（例えば回路板）に接続されることによって信号を伝送する。
【００１７】
前記端子セット（３０）は、上部端子（３１）、下部端子（３２）及び検出端子（３３）など合計２０本もの端子を有するものである。尚、本実施例においては、前記上部端子（３１）と下部端子（３２）がそれぞれ挿設部（２０）の上部と下部に配置され、該検出端子（３３）は、図２及び図３に示すように、挿設部（２０）の下部の最も左側に配置され、且つフールプルーフ（２２）の近傍に位置するものである。
【００１８】
図７及び図８に示すように、本考案に係るソケットコネクタをDisplayPort規格のプラグコネクタ（５０）と連結する際は、挿設部（２０）を接続部（５１）における挿嵌穴(５２)に挿設すると共に、フールプルーフ（２２）を収容溝（５３）に挿設し、上部端子（３１）、下部端子（３２）及び検出端子（３３）を該挿嵌穴(５２)の壁面に取り付けられる各端子と接続する。
【００１９】
また、図９及び図１０に示すように、本考案に係るソケットコネクタをHDMI規格のプラグコネクタ（４０）と連結する際は、挿設部（２０）を接続部（４１）における挿嵌穴(４２)に挿設する。尚、前記接続部（４１）は、外形が収容室（１１）より遥かに小さいため、フールプルーフ（１３）により該位置決めバネ部（１３）から離間させられると共に、当接面（２２１）を介して凹部（４３）に当接するように位置する該フールプルーフ（２２）によって位置決めされる。また、前記挿設部（２０）における上部端子（３１）と下部端子（３２）は、接続部（４１）における挿嵌穴（４２）に設けられる端子と接続するのに対して、検出端子（３３）は、該端子と接続しないので、連結されたのがHDMI規格のプラグコネクタ（４０）であることを判別することができる。
【００２０】
図１１、図１２及び図１３に示すように、本考案の第二実施例においては、挿設部（２０）における本体（２１）から２つのフールプルーフ（２２）（２２A）が軸方向に延設され、且つ該挿設部（２０）の両側近隣に配置され、DisplayPort規格のプラグコネクタ（５０）の接続部（５１）がシェル部材（１０）に挿入される際には、それぞれ該接続部（５１）の両側における収容溝（５３）（５３A）に進入されるのに対して、図１３に示すようにHDMI規格のプラグコネクタ（４０）の接続部（４１）が該シェル部材（１０）に挿入される際には、該２つのフールプルーフ（２２）（２２A）はそれぞれ、該接続部（４１）の両側外部に位置し、接続部（４１）を位置決めする。
【産業上の利用可能性】
【００２１】
本考案は上記の２つのフールプルーフを有するので、異なる規格のプラグコネクタと連結することができる。
【図面の簡単な説明】
【００２２】
【図１】本考案に係る２型対応ソケットコネクタの第１実施例を示す斜視図である。
【図２】本考案に係る２型対応ソケットコネクタの第１実施例を示す正面図である。
【図３】本考案に係る２型対応ソケットコネクタの第１実施例における下部端子を示す断面図である。
【図４】本考案に係る２型対応ソケットコネクタの第１実施例における上部端子を示す断面図である。
【図５】本考案に係る２型対応ソケットコネクタの第１実施例における検出端子を示す断面図である。
【図６】本考案に係る２型対応ソケットコネクタの第１実施例においてプラグコネクタとの連結を示す図である。
【図７】本考案に係る２型対応ソケットコネクタの第１実施例においてDisplayPort規格のプラグコネクタと連結した状態を示す図である。
【図８】本考案に係る２型対応ソケットコネクタの第１実施例においてDisplayPort規格のプラグコネクタと連結した状態を示す断面図である。
【図９】本考案に係る２型対応ソケットコネクタの第１実施例においてDisplayPort規格のプラグコネクタと連結した状態を示す断面図である。
【図１０】本考案に係る２型対応ソケットコネクタの第１実施例においてHDMI規格のプラグコネクタと連結した状態を示す断面図である。
【図１１】本考案に係る２型対応ソケットコネクタの第２実施例を示す斜視図である。
【図１２】本考案に係る２型対応ソケットコネクタの第２実施例を示す正面図である。
【図１３】本考案に係る２型対応ソケットコネクタの第２実施例においてDisplayPort規格のプラグコネクタと連結した状態を示す断面図である。
【図１４】本考案に係る２型対応ソケットコネクタの第２実施例においてHDMI規格のプラグコネクタと連結した状態を示す断面図である。
【符号の説明】
【００２３】
１０          シェル部材
１１          収容室
１２          バネ部
１３          位置決めバネ部
１３１        突出部
１４          脚部
２０          挿設部
２１          本体
２２、２２A  フールプルーフ
２２１        当接面
３０          端子セット
３１          上部端子
３２          下部端子
３３          検出端子
４０、５０    プラグコネクタ
４１、５１    接続部
４２、５２    挿嵌穴
４３          凹部
５３、５３A  収容溝
【図１】
0003150774.tif 000003
【図２】
0003150774.tif 000004
【図３】
0003150774.tif 000005
【図４】
0003150774.tif 000006
【図５】
0003150774.tif 000007
【図６】
0003150774.tif 000008
【図７】
0003150774.tif 000009
【図８】
0003150774.tif 000010
【図９】
0003150774.tif 000011
【図１０】
0003150774.tif 000012
【図１１】
0003150774.tif 000013
【図１２】
0003150774.tif 000014
【図１３】
0003150774.tif 000015
【図１４】
0003150774.tif 000016
【手続補正書】
【提出日】平成21年3月24日(2009.3.24)
【手続補正１】
【補正対象書類名】実用新案登録請求の範囲
【補正対象項目名】請求項４
【補正方法】変更
【補正の内容】
【請求項４】
前記検出端子（３３）は、前記下部端子（３２）と共に、前記挿設部（２０）の下方に設置され且つ前記フールプルーフ（２２）の一つの近傍に位置することを特徴とする請求項１乃至３のいずれか１項に記載の２型対応ソケットコネクタ。